(57)【要約】      （修正有）【課題】箸掴持矯正手袋を提供する。【解決手段】箸掴持矯正手袋は、親指、人差し指、中指、薬指及び小指を有する手袋本体と、を含み、その上に第１保持部１１１、第２保持部１１２、第３保持部１２１、第４保持部１２２、第５保持部１２３、第６保持部１３１及び第７保持部１４１を有する。使用時には、手を該矯正手袋に伸入させ、１つの箸を該第４保持部、第１保持部、第３保持部及び第６保持部中に順に通過設置させ、もう１つの箸を該第５保持部、第２保持部及び第７保持部中に順に通過設置させ、該箸を適切な位置に調整し、矯正の目的を達成する。【選択図】図２
0003181357.tif 000002
【実用新案登録請求の範囲】
【請求項１】
親指、人差し指、中指、薬指及び小指を有する手袋本体と、を含み、該親指上に第１保持部、第２保持部を有し、該人差し指上に第３保持部及び第４保持部を有し、該親指及び人差し指の間に第５保持部を有し、該中指上に第６保持部を有し、該薬指上に第７保持部を有することを特徴とし、使用時、手を該矯正手袋に伸入させ、１つの箸を該第４保持部、第１保持部、第３保持部及び第６保持部中に順に通過設置させ、もう１つの箸を該第５保持部、第２保持部及び第７保持部中に順に通過設置させ、該箸を適切な位置に調整し、矯正の目的を達成することができる箸掴持矯正手袋。
【請求項２】
前記箸掴持矯正手袋が、ゴム、プラスチック、シリコーン、綿の手袋、又はニット手袋である請求項１に記載の箸掴持矯正手袋。
【請求項３】
前記第１保持部は、該親指前側の端部に位置し、該第２保持部は、該親指前側の底部に位置し、該第３保持部は、該人差し指前側の端部に位置し、該第４保持部は、該人差し指右側の端部に位置し、該第５保持部は、該親指及び人差し指の間に位置する請求項１に記載の箸掴持矯正手袋。
【請求項４】
前記第１保持部、第２保持部、第３保持部、第４保持部、第５保持部、第６保持部及び第７保持部は、該手袋上に縫い付けられるか、粘着され、且つ該第６保持部は、該中指後側の端部に位置し、該第７保持部は、該薬指後側の端部に位置する請求項１に記載の箸掴持矯正手袋。
【請求項５】
親指、人差し指、中指、薬指及び小指を有する手袋本体と、を含み、該親指上に第１保持部、該人差し指上に第２保持部を有し、該親指及び人差し指の間に第３保持部を有し、該中指上に第４保持部を有し、該薬指上に第５保持部を有することを特徴とし、使用時、手を該矯正手袋に伸入させ、１つの箸を該第２保持部、第１保持部及び第４保持部中に順に通過設置させ、もう１つの箸を該第３保持部及び第５保持部中に順に通過設置させ、該箸を適切な位置に調整し、矯正の目的を達成することができる箸掴持矯正手袋。
【請求項６】
前記箸掴持矯正手袋が、ゴム、プラスチック、シリコーン、綿の手袋、又はニット手袋である請求項５に記載の箸掴持矯正手袋。
【請求項７】
前記第１保持部は、該親指前側の端部に位置し、該第２保持部は、該人差し指右側の端部に位置し、該第４保持部は、該中指後側の端部に位置し、該第５保持部は、該薬指後側の端部に位置し、且つ該第１保持部、第２保持部、第３保持部、第４保持部及び第５保持部が該手袋上に縫い付けられるか、粘着される請求項５に記載の箸掴持矯正手袋。
【考案の詳細な説明】
【技術分野】
【０００１】
本考案は、矯正手袋に関し、特に手袋上に少なくとも５つの保持部を有し、該保持部により箸をその中に貫通設置し、箸を固定する箸掴持矯正手袋に関する。
【背景技術】
【０００２】
箸は、華人社会の飲食の重要な器具であり、幼い時から如何に箸を持つかの学習を開始する必要があり、箸の使用姿勢が適切でない場合、食事時に付近の人の目につき、深刻には、食事の情緒に影響を及ぼすので、如何に正確に箸を使用するかを学習することは、確かに必要である。
【０００３】
従来の箸掴持補助器は、例えば、中華民国実用新案第Ｍ３２８８３８号専利「箸の掴持補助器」は、箸掴持補助器を開示しており、それは、両端に第１挟持具及び第２挟持具を有し、２つの挟持具の間に弾性部材を有する矯正器と、該第１挟持具中に挟持することができる第１前段箸と、該第２挟持具中に挟持することができる第２前段箸と、を含み、該矯正器、該第１前段箸及び第２前段箸の結合により、使用者が料理を挟み取ることに便利することができる。
【０００４】
また、例えば、中華民国実用新案第Ｍ３２６８１１号専利「箸掴持補助器（二）」は、箸掴持補助器を開示しており、前記箸掴持補助器は、相対する上底面及び前後側辺及び左右側辺を含む中間ブロックであって、該左右側辺に中間ブロック体を貫通し、且つ半形を呈する内挟持箸溝を設け、且つ前記内挟持箸溝が傾斜状を呈する中間ブロック体と、中間ブロック体の該側に対応する左側挟持ブロックであって、左側挟持ブロックを貫通し、且つ半形を呈する第１外挟持箸溝を有する左側挟みブロックと、中間ブロック体の該側に対応する右側挟持ブロックであって、右側挟持ブロックを貫通し、且つ半形を呈する第２外挟持箸溝を有する右側挟持ブロックと、中間ブロック体及び左右側挟持ブロックが互いに組み寄る時の周辺部位を収縮し、該三者の組み合わせ状態に弾性定位状態を獲得させる収縮部材と、を含み、該箸掴持補助器により箸を持つ姿勢を矯正学習することができ、更に、箸を正確に掴持する実用的進歩性を達成する。
【０００５】
また、例えば、中華民国実用新案第Ｍ３５２９５２号専利「箸掴持補助器構造」は、箸掴持補助器構造を開示し、それは、結合ユニット、組み付けユニット及び定位部材を含み、そのうち、結合ユニットは、両端部にそれぞれ第１結合孔を設け、組み付けユニットは、２組を設け、それは、第２結合孔を設け、結合ユニットの第１結合孔を対応し、他端に接続ピンを延伸設置し、接続ピン内に貫通孔を形成し、定位部材は、結合ユニットの第１結合孔及び組み付けユニットの第２結合孔を貫通し、結合ユニット及び組み付けユニットを枢着し、使用者が箸を掴持する操作方法を学習することを便利にすることができる。
【０００６】
但し、上記の箸矯正器の構造は、相対的に複雑であり、且つコストが高く、改善の余地を有する。
【０００７】
従って、新たな箸掴持矯正手袋を設計し、上記欠陥を克服する必要がある。
【先行技術文献】
【特許文献】
【０００８】
【特許文献１】登録実用新案第３１４５４３７号公報
【考案の概要】
【考案が解決しようとする課題】
【０００９】
本考案の目的は、その上に少なくとも５つの保持部を有し、該保持部により箸をその中に通過設置させることができ、箸を固定する箸掴持矯正手袋を提供することにある。
【課題を解決するための手段】
【００１０】
上記目的を達成する為、本考案の箸掴持矯正手袋は、親指、人差し指、中指、薬指及び小指を有する手袋本体と、を含み、該親指上に第１保持部、第２保持部を有し、該人差し指上に第３保持部及び第４保持部を有し、該親指及び人差し指の間に第５保持部を有し、該中指上に第６保持部を有し、該薬指上に第７保持部を有することを特徴とし、使用時、手を該矯正手袋に伸入させ、１つの箸を該第４保持部、第１保持部、第３保持部及び第６保持部中に順に通過設置させ、もう１つの箸を該第５保持部、第２保持部及び第７保持部中に順に通過設置させ、該箸を適切な位置に調整し、矯正の目的を達成することができる。
【００１１】
上記目的を達成する為、本考案の箸掴持矯正手袋は、親指、人差し指、中指、薬指及び小指を有する手袋本体と、を含み、該親指上に第１保持部、該人差し指上に第２保持部を有し、該親指及び人差し指の間に第３保持部を有し、該中指上に第４保持部を有し、該薬指上に第５保持部を有することを特徴とし、使用時、手を該矯正手袋に伸入させ、１つの箸を該第２保持部、第１保持部及び第４保持部中に順に通過設置させ、もう１つの箸を該第３保持部及び第５保持部中に順に通過設置させ、該箸を適切な位置に調整し、矯正の目的を達成することができる。
【考案の効果】
【００１２】
本考案の箸掴持矯正手袋の実施により、１．その上に少なくとも５つの保持部を有し、該保持部により箸をその中に通過設置でき、箸を固定する箸矯正手袋である；２．コストを低減することができる；３．使用に便利である等の利点を有するので、従来の箸掴持補助又は矯正器の欠点を確かに改善することができる。
【図面の簡単な説明】
【００１３】
【図１】本考案の好適実施例の箸掴持矯正手袋の説明図である。
【図２】本考案の好適実施例の箸掴持矯正手袋及び一善の箸の組み合わせ説明図である。
【図３】本考案のもう１つの好適実施例の箸掴持矯正手袋の説明図である。
【図４】本考案のもう１つの好適実施例の箸掴持矯正手袋及び一善の箸の組み合わせ説明図である。
【考案を実施するための形態】
【００１４】
本考案の構造、特徴及び目的を分かり易くする為、図面及び好適実施例により詳細な説明を行う。
【００１５】
図１、図２を併せて参照し、図１は、本考案の好適実施例の箸掴持矯正手袋の説明図であり、図２は、本考案の好適実施例の箸掴持矯正手袋及び一善の箸の組み合わせ説明図である。
【００１６】
図に示すように、本考案の箸掴持矯正手袋は、手袋本体１０は、その前端に親指１１、人差し指１２、中指１３、薬指１４及び小指１５を有する。
【００１７】
そのうち、該手袋本体１０、親指１１、人差し指１２、中指１３、薬指１４及び小指１５等は、何れも、これに限定するものではないがゴム、プラスチック、シリコーン、綿又はニットで形成され、本実施例において、ニット手袋を例とし説明するが、これに限定するものではない。
【００１８】
該親指１１上に第１保持部１１１、第２保持部１１２を有し、そのうち、該第１保持部１１１は、これに限定するものではないが、例えば、該親指１１前端の端部に位置し、該第２保持部１１２は、これに限定するものではないが、例えば、該親指１１前側の底部に位置する。
【００１９】
該人差し指１２上に第３保持部１２１及び第４保持部１２２を有し、そのうち、該第３保持部１２１は、これに限定するものではないが、例えば、該人差し指１２前側の端部に位置し、該第４保持部１２２は、これに限定するものではないが、例えば、該人差し指１２右側の底部に位置し、また、該親指１１及び人差し指１２の間に第５保持部１２３を有する。
【００２０】
該中指１３上に第６保持部１３１を有し、そのうち、該第６保持部１３１は、これに限定するものではないが、例えば、該中指１３後側の端部に位置する。
【００２１】
該薬指１４上に第７保持部１４１を有し、そのうち、該第７保持部１４１は、これに限定するものではないが、例えば、該薬指１４後側の端部に位置する。
【００２２】
そのうち、該第１保持部１１１、第２保持部１１２、第３保持部１２１、第４保持部１２２、第５保持部１２３、第６保持部１３１及び第７保持部１４１は、これに限定するものではないが、例えば、該手袋１上に縫い付けられるか、粘着される。且つ該第４保持部１２２、第１保持部１１１、第３保持部１２１及び第６保持部１３１は、好ましくは、同一の第１色、これに限定するものではないが、例えば、青色を有し、該第５保持部１２３、第２保持部１１２及び第７保持部１４１は、好ましくは、同一の第２色、これに限定するものではないが、例えば、黄色を有し、使用者が識別するのに便利にする。
【００２３】
図２に示すように、使用時、初心者は、手指を該矯正手袋本体１０中に伸入し、１つの箸３０を該第４保持部１２２、第１保持部１１１、第３保持部１２１及び第６保持部１３１中に順に通過設置し、もう１つの箸３１を該第５保持部１２３、第２保持部１１２及び第７保持部１４１中に順に貫通設置し、該箸３０を該箸３１と同じ高さの位置に調整した後、初心者に同一の姿勢を維持させ、如何に箸３０，３１を正確に使用するかを学習させ、このように、矯正の目的を達成することができる。
【００２４】
図３、図４を併せて参照し、図３は、本考案のもう１つの好適実施例の箸掴持矯正手袋の説明図であり、図４は、本考案のもう１つの好適実施例の箸掴持矯正手袋及び一善の箸の組み合わせ説明図である。
【００２５】
図に示すように、本考案の箸掴持矯正手袋は、手袋本体１００を含み、その前端に親指１１０、人差し指１２０、中指１３０、薬指１４０及び小指１５０を有する。
【００２６】
そのうち、該手袋本体１００、親指１１０、人差し指１２０、中指１３０、薬指１４０及び小指１５０等は、これに限定するものではないが、例えば、ゴム、プラスチック、シリコーン、綿又はニットで形成される。
【００２７】
該親指１１０上に第１保持部１１０１を有し、そのうち、該第１保持部１１１１は、これに限定するものではないが、例えば、該親指１１０前端の端部に位置する。
【００２８】
該人差し指１２０上に第２保持部１２０１を有し、そのうち、該第２保持部１２０１は、これに限定するものではないが、例えば、該人差し指１２０右端の底部に位置し、また、該親指１１０及び人差し指１２０の間には、第３保持部１２０３を有する。
【００２９】
該中指１３０上に第４保持部１３０１を有し、そのうち、該第４保持部１３０１は、これに限定するものではないが、例えば、該中指１３０後側の端部に位置する。
【００３０】
該薬指１４０上に第５保持部１４０１を有し、そのうち、該第５保持部１４０１は、これに限定するものではないが、例えば、該薬指１４０後端の端部に位置する。
【００３１】
そのうち、該第１保持部１１０１、第２保持部１２０１、第３保持部１２０３、第４保持部１３０１及び第５保持部１４０１は、これに限定するものではないが、例えば、
該手袋１上に縫い付けられるか、粘着される。且つ該第１保持部１１０１、第２保持部１２０１及び第４保持部１３０１は、好ましくは、同一の第１色、これに限定するものではないが、例えば、青色を有し、該第３保持部１２０３及び第５保持部１４０１は、好ましくは、同一の第２色、これに限定するものではないが、例えば、黄色を有し、使用者が識別するのに便利にする。
【００３２】
図４に示すように、使用時、初心者は、手指を該矯正手袋本体１００中に伸入し、１つの箸３００を該第２保持部１２０１、第１保持部１１０１及び第４保持部１３０１中に順に通過設置し、もう１つの箸３１を該第３保持部１２０３及び第５保持部１４０１中に順に貫通設置し、該箸３００を該箸３１０と同じ高さの位置に調整した後、初心者に同一の姿勢を維持させ、如何に箸３００，３１０を正確に使用するかを学習させ、このように、矯正の目的を達成することができる。本考案の箸掴持矯正手袋は、従来の箸掴持補助又は矯正器に比較し、コストが低く、且つ使用に便利である利点を有し、従って、従来の箸掴持補助又は矯正器に比較し、確かに進歩性を有する。
【００３３】
本考案の箸掴持矯正手袋の実施により、１．その上に少なくとも５つの保持部を有し、該保持部により箸をその中に通過設置でき、箸を固定する箸矯正手袋である；２．コストを低減することができる；３．使用に便利である等の利点を有するので、従来の箸掴持補助又は矯正器の欠点を確かに改善することができる。
【００３４】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３５】
１０  手袋本体
１１  親指
１１１  第１保持部
１１２  第２保持部
１２  人差し指
１２１  第３保持部
１２２  第４保持部
１２３  第５保持部
１３  中指
１３１  第６保持部
１４  薬指
１４１  第７保持部
１５  小指
３０  箸
３１  箸
１００  手袋本体
１１０  親指
１１０１  第１保持部
１２０  人差し指
１２０１  第２保持部
１２０４  第３保持部
１３０  中指
１３０１  第４保持部
１４０  薬指
１４０１  第５保持部
１５０  小指
３００  箸
３１０  箸
１  手袋
【図１】
0003181357.tif 000003
【図２】
0003181357.tif 000004
【図３】
0003181357.tif 000005
【図４】
0003181357.tif 000006